(57)【要約】【課題】入力軸から出力軸への回転の伝達と遮断を行なう二方向クラッチを有し、その二方向クラッチの係合および解除を電磁クラッチにより制御する回転伝達装置のコスト低減を図る。【解決手段】電磁クラッチ６０は、二方向クラッチ１０及び電磁クラッチ６０を収容する中空のハウジング３の開口端部に配置されたフィールドコア６５と、フィールドコア６５のハウジング内部側の端面に配置された電磁コイル６４とを有する。入力軸１の支持用に設ける転がり軸受８０の外輪８１に嵌合する嵌め合い面７１と、外輪８１をハウジング外部側から軸方向に受ける肩部７２とが一体に形成されたプレス成形品７０を備える。プレス成形品７０は、外輪８１を肩部７２とフィールドコア６５とで軸方向に挟むようにフィールドコア６５に接合されている。【選択図】図１
2017048856.tif 000002
【特許請求の範囲】
【請求項１】
入力軸と、前記入力軸と同軸上に配置された出力軸と、前記入力軸と前記出力軸の相互間で回転の伝達と遮断とを行なう二方向クラッチと、前記二方向クラッチの係合および解除を制御する電磁クラッチと、前記二方向クラッチ及び前記電磁クラッチを収容する中空のハウジングとを備え、
前記電磁クラッチが、前記ハウジングの開口端部に配置されたフィールドコアと、前記フィールドコアのハウジング内部側の端面に配置された電磁コイルとを有し、
前記入力軸が、前記フィールドコア及び転がり軸受を介して前記ハウジングに支持されている回転伝達装置において、
前記転がり軸受の外輪に嵌合する嵌め合い面と、前記外輪をハウジング外部側から軸方向に受ける肩部とが一体に形成されたプレス成形品をさらに備え、
前記プレス成形品が、前記外輪を前記肩部と前記フィールドコアとで軸方向に挟むように当該フィールドコアに接合されていることを特徴とする回転伝達装置。
【請求項２】
前記プレス成形品と前記フィールドコアとを接合している溶接部をさらに備える請求項１に記載の回転伝達装置。
【請求項３】
前記プレス成形品と前記フィールドコアとを接合しているリベットをさらに備える請求項１に記載の回転伝達装置。
【発明の詳細な説明】
【技術分野】
【０００１】
この発明は、回転の伝達と遮断の切換えを行なう回転伝達装置に関する。
【背景技術】
【０００２】
従来、入力軸と、入力軸と同軸上に配置された出力軸と、入力軸と出力軸の相互間で回転の伝達と遮断とを行なう二方向クラッチと、二方向クラッチの係合および解除を制御する電磁クラッチと、二方向クラッチ及び電磁クラッチを収容する中空のハウジングとを備える回転伝達装置が知られている（例えば、特許文献１）。
【０００３】
特許文献１に記載された回転伝達装置においては、外輪とその内側に組み込まれた内輪との間に制御保持器と回転保持器とを、各保持器に形成された柱部が周方向で交互に配置されるよう組込み、隣接する柱部間に形成されたポケット内に対向一対のローラを組込み、その一対のローラを、その対向部間に組み込まれた弾性部材で離反する方向に付勢して、外輪の内周に形成された円筒面と内輪の外周に形成されたカム面に係合する位置にスタンバイさせ、上記内輪の一方向への回転により一方のローラを円筒面およびカム面に係合させ、内輪の回転を外輪に伝達するようにしている。
【０００４】
また、電磁クラッチは、ハウジングの開口端部に取り付けられたフィールドコアと、前記フィールドコアのハウジング内部側の端面に配置された電磁コイルと、制御保持器に連結されたアーマチュアと、入力軸に取り付けられたロータとを有する。その電磁クラッチの電磁コイルに対する通電によってアーマチュアをロータに吸着して制御保持器を軸方向に移動させ、その移動に連動して制御保持器のフランジと回転保持器のフランジの対向面間に設けられた運動変換機構としてのトルクカムの作用によりポケットの周方向幅が小さくなる方向に制御保持器と回転保持器を相対回転させ、各保持器の柱部で一対のローラを係合解除位置まで移動させて、内輪から外輪への回転伝達を遮断するようにしている。
【０００５】
このような回転伝達装置においては、電磁クラッチの電磁コイルに対する通電を解除すると、対向一対のローラ間に組み込まれた弾性部材の押圧作用により制御保持器と回転保持器とがポケットの周方向幅が大きくなる方向に相対回転して対向一対のローラが円筒面およびカム面に直ちに係合するため、回転方向ガタがきわめて小さく、応答性に優れているという特徴を有している。
【先行技術文献】
【特許文献】
【０００６】
【特許文献１】特開２０１３−１９９９９３号公報
【発明の概要】
【発明が解決しようとする課題】
【０００７】
特許文献１のような回転伝達装置では、図４に示すように、ハウジング１００の内周に嵌合されたフィールドコア１０１のハウジング外部側の端面に、軸方向に延びた筒状部１０２が形成されている。筒状部１０２の内周には、転がり軸受の外輪１０３が圧入されている。この転がり軸受の内輪１０４は、入力軸１０５の外周に嵌合されている。筒状部１０２の内周には、止め輪溝１０６が形成され、この止め輪溝１０６に嵌着された止め輪１０７によって転がり軸受が抜け止めされている。入力軸１０５は、外輪１０３及び内輪１０４を有する転がり軸受と、フィールドコア１０１とを介してハウジング１００に支持されている。
【０００８】
しかしながら、フィールドコア１０１は、電磁コイル１０８を内蔵するコア部１０９に対して筒状部１０２を細長い円筒に形成したものであり、鍛造後の加工部分が多いため、材料歩留りが悪く、また、転がり軸受の抜け止めに止め輪を用いているため、筒状部への止め輪溝の加工や止め輪にもコストがかかる点で改良の余地がある。
【０００９】
上述の背景に鑑み、この発明が解決しようとする課題は、入力軸から出力軸への回転の伝達と遮断を行なう二方向クラッチを有し、その二方向クラッチの係合および解除を電磁クラッチにより制御する回転伝達装置のコスト低減を図ることにある。
【課題を解決するための手段】
【００１０】
上記の課題を達成するため、この発明は、入力軸と、前記入力軸と同軸上に配置された出力軸と、前記入力軸と前記出力軸の相互間で回転の伝達と遮断とを行なう二方向クラッチと、前記二方向クラッチの係合および解除を制御する電磁クラッチと、前記二方向クラッチ及び前記電磁クラッチを収容する中空のハウジングとを備え、前記電磁クラッチが、前記ハウジングの開口端部に配置されたフィールドコアと、前記フィールドコアのハウジング内部側の端面に配置された電磁コイルとを有し、前記入力軸が、前記フィールドコア及び転がり軸受を介して前記ハウジングに支持されている回転伝達装置において、前記転がり軸受の外輪に嵌合する嵌め合い面と、前記外輪をハウジング外部側から軸方向に受ける肩部とが一体に形成されたプレス成形品をさらに備え、前記プレス成形品が、前記外輪を前記肩部と前記フィールドコアとで軸方向に挟むように当該フィールドコアに接合されている、という構成を採用したものである。
【発明の効果】
【００１１】
上記構成を有するこの発明は、フィールドコアと別体のプレス成形品に転がり軸受の外輪を嵌合しているので、材料歩留りを向上させてコストダウンを図ることができ、また、プレス成形品に一体に形成された肩部とフィールドコアとで転がり軸受の外輪を軸方向に挟んでいるので、止め輪及び止め輪溝の加工を無くしてコストダウンを図ることができる。
【図面の簡単な説明】
【００１２】
【図１】この発明の第一実施形態に係る回転伝達装置を示す断面図
【図２】図１中のＩＩ−ＩＩ線の断面図
【図３】この発明の第二実施形態に係る回転伝達装置を示す断面図
【図４】回転伝達装置の従来例を示す断面図
【発明を実施するための形態】
【００１３】
この発明の第一実施形態に係る回転伝達装置を図１及び図２に基づいて説明する。図１に示すように、この回転伝達装置は、入力軸１と、入力軸１と同軸上に配置された出力軸２と、入力軸１と出力軸２の相互間で回転の伝達と遮断とを行なう二方向クラッチ１０と、二方向クラッチの係合および解除を制御する電磁クラッチ６０と、二方向クラッチ１０及び電磁クラッチ６０を収容する中空のハウジング３とを備えている。以下、「軸方向」とは、入力軸及び出力軸の同心軸に沿った方向のことをいう。また、「径方向」とは、その同心軸に直角な方向のことをいう。また、「周方向」とは、その同心軸周りの円周方向のことをいう。
【００１４】
二方向クラッチ１０は、出力軸２の軸端部に設けられた外輪１１と、外輪１１の内周に形成された円筒面１２と、入力軸１の軸端部に設けられた内輪１３と、内輪１３の外周に周方向に等間隔に形成された複数のカム面１４と、複数のカム面１４のそれぞれと円筒面１２間に配置された一対のローラ１５及び弾性部材１６と、ローラ１５を保持する保持器１７とを有し、内輪１３の一方向への回転により一対のローラ１５の一方を円筒面１２およびカム面１４に係合させて内輪１３の回転を外輪１１に伝達し、また、内輪１３の他方向への回転時に他方のローラ１５を円筒面１２およびカム面１４に係合させて内輪１３の回転を外輪１１に伝達するようになっている。
【００１５】
ハウジング３は筒状をなし、その一方の開口端部には小径の軸受筒４が設けられている。軸受筒４の内周には位置決めリング５が設けられている。また、ハウジング３のうち、位置決めリング５からハウジング内部側の内周部分と、出力軸２との間には、出力軸２を回転自在に支持する軸受６が組み込まれている。また、軸受６と位置決めリング５間には、ハウジング３の内周によって径方向に支持された弾性部材７が組み込まれている。
【００１６】
弾性部材７は、電磁クラッチ６０をハウジング３の他方の開口端部の内周に取付けられた抜止めリング８に向けて付勢して抜止めリング８に押し付けている。このため、ハウジング３内に組込まれた二方向クラッチ１０と電磁クラッチ６０は、ガタツキのない組込み状態でハウジング３に収容されている。なお、抜止めリング８は、止め輪になっている。
【００１７】
外輪１１には、閉塞端部の内面側に小径の凹部１８が形成されている。その凹部１８内に組み込まれた軸受１９によって入力軸１の軸端部が回転自在に支持されている。
【００１８】
なお、図１では、入力軸１の軸端部に内輪１３を一体に設けた例を示しているが、入力軸１に対して内輪１３を別体とし、その内輪１３の内側に入力軸１の軸端部を嵌合し、その嵌合面間に形成されたセレーションにより内輪１３と入力軸１とを連結一体化してもよい。
【００１９】
図２に示すように、内輪１３の外周に形成されたカム面１４は、相反する方向に傾斜する一対の傾斜面１４ａ、１４ｂと、その一対の傾斜面１４ａ、１４ｂ間に形成された平坦なばね支持面１４ｃとからなり、外輪１１の円筒面１２との間に周方向の両端が狭小のくさび形空間を形成している。
【００２０】
ばね支持面１４ｃは、内輪１３の接線方向に延びている。弾性部材１６は、ばね支持面１４ｃによって支持されている。弾性部材１６は、一対のローラ１５間に組込まれている。一対のローラ１５は、その弾性部材１６により、互いに離反する方向に付勢されている。
【００２１】
図１，図２に示すように、保持器１７は、制御保持器１７Ａと、回転保持器１７Ｂとからなる。制御保持器１７Ａは、環状のフランジ２０と、フランジ２０の片面外周部に周方向に等間隔に設けられた柱部２１と、周方向に隣接する柱部２１間に円弧状に形成された長孔部２２と、外周において柱部２１と反対向きに設けられた筒部２３とを有する。一方、回転保持器１７Ｂは、環状のフランジ２４と、フランジ２４の外周に周方向に等間隔に設けられた柱部２５とを有する。柱部２１、２５の等配数は、それぞれカム面１４と同数になっている。
【００２２】
制御保持器１７Ａと回転保持器１７Ｂは、制御保持器１７Ａの長孔部２２内に回転保持器１７Ｂの柱部２５が挿入されて、その柱部２１、２５が周方向に交互に並ぶように組み合わされている。柱部２１、２５の先端部は、外輪１１と内輪１３間に配置されている。制御保持器１７Ａのフランジ２０および回転保持器１７Ｂのフランジ２４は、入力軸１の外周に嵌合された支持リング２８と外輪１１間に配置されている。
【００２３】
上記のような保持器１７Ａ、１７Ｂの組込みによって、図２に示すように、制御保持器１７Ａの柱部２１と回転保持器１７Ｂの柱部２５間にポケット２９が形成される。ポケット２９は内輪１３のカム面１４と径方向で対向している。それぞれのポケット２９内には、対向一対のローラ１５および弾性部材１６が収容されている。
【００２４】
図１に示すように、制御保持器１７Ａのフランジ２０は、入力軸１の外周に形成された円柱状のスライド案内面３０に沿ってスライド自在に支持されている。回転保持器１７Ｂのフランジ２４と支持リング２８間には、スラスト軸受３１が組み込まれている。スラスト軸受３１は、回転保持器１７Ｂが電磁クラッチ６０側に移動することを防止すると共に、回転保持器１７Ｂを回転自在に支持している。
【００２５】
制御保持器１７Ａのフランジ２０と回転保持器１７Ｂのフランジ２４間には、制御保持器１７Ａの軸方向の移動を制御保持器１７Ａと回転保持器１７Ｂの相対的な回転運動に変換する運動変換機構４０が設けられている。
【００２６】
運動変換機構４０は、フランジ２０，２４の対向面に設けられた一対のカム溝部４１，４２と、一対のカム溝部４１，４２間に介在するボール４３とからなるトルクカムになっている。トルクカムは、特許文献１と同様のものであり、カム溝部４１，４２は、周方向の中央部で深く両端に至るに従って次第に浅くなっている。カム溝部４１、４２として、ここでは円弧状の溝を示したが、Ｖ溝であってもよい。
【００２７】
運動変換機構４０は、制御保持器１７Ａのフランジ２０が回転保持器１７Ｂのフランジ２４に接近する方向に制御保持器１７Ａが軸方向に移動した際に、ボール４３がカム溝部４１、４２の溝深さの最も深い位置に向けて転がり移動し、制御保持器１７Ａと回転保持器１７Ｂをポケット２９の周方向幅が小さくなる方向に相対回転させるようになっている。
【００２８】
また、内輪１３の外周には、ばねホルダ５０が嵌合されている。ばねホルダ５０は、内輪１３の止め輪溝に取り付けられた止め輪４４と、内輪１３の外周の段差とで軸方向に動かないように位置決めされている。
【００２９】
図１、図２に示すように、ばねホルダ５０は、複数のローラ１５のそれぞれに対応して設けられたストッパ片５１を有する。これらストッパ片５１と、入力軸１の軸端部に嵌合されたワッシャ４５とが、複数のローラ１５のそれぞれの軸方向のずれ動きを防止している。なお、ばねホルダ５０は、金属板のプレス成形品からなる。
【００３０】
複数のストッパ片５１は、一対を一組とし、その組を形成する一対のストッパ片５１のそれぞれは、制御保持器１７Ａの柱部２１と回転保持器１７Ｂの柱部２５間に配置されており、制御保持器１７Ａと回転保持器１７Ｂとがポケット２９の周方向幅を縮小する方向に相対回転した際に、制御保持器１７Ａの柱部２１および回転保持器１７Ｂの柱部２５を外側縁で受け止めて対向一対のローラ１５を中立位置に保持するようになっている。
【００３１】
なお、図示例では、ストッパ片５１に制御保持器１７Ａと回転保持器１７Ｂの回転角を規制する機能を付与しているが、特許文献１のように回転角規制手段を別に設けてもよい。
【００３２】
ばねホルダ５０の外周部のうち、組を形成する一対のストッパ片５１間のそれぞれには、弾性部材１６が一対のローラ１５間から径方向外方に抜け出るのを防止するようにばね保持片５２が設けられている。ばね保持片５２は、弾性部材１６の外周囲を覆うＵ字形とされている。ばね保持片５２の付け根部と、ばね支持面１４ｃとが面係合することによってばねホルダ５０が入力軸１に対して回り止めされている。
【００３３】
図１に示すように、電磁クラッチ６０は、制御保持器１７Ａの筒部２３の端面と軸方向に対向するアーマチュア６１と、そのアーマチュア６１と軸方向に対向するロータ６２と、そのロータ６２と軸方向に対向するフィールド６３とを有している。
【００３４】
アーマチュア６１は、支持リング２８の外周に嵌合されている。アーマチュア６１は、支持リング２８に対して回転自在に、かつ、スライド自在に支持されている。アーマチュア６１の外周部は、筒状になっており、その内周に制御保持器１７Ａの筒部２３が圧入されている。この圧入により、制御保持器１７Ａとアーマチュア６１が一体に連結されている。この連結体は、支持リング２８の円筒状外径面と、入力軸１のスライド案内面３０との軸方向２箇所においてスライド自在に支持される。
【００３５】
ロータ６２は、入力軸１に圧入されている。ロータ６２は、支持リング２８と、ロータ６２及び支持リング２８間に介在する間座（図示省略）とによって位置決めされている。なお、支持リング２８は、断面が矩形とされ、入力軸１のスライド案内面３０の軸方向他側に形成された段部によって軸方向に位置決めされている。
【００３６】
フィールド６３は、電磁コイル６４と、電磁コイル６４を内蔵するフィールドコア６５とからなる。フィールドコア６５は、ハウジング３の他方の開口端部に配置されている。フィールドコア６５の外周とハウジング３の開口端部の内周とが嵌合されている。抜止めリング８は、ハウジング３に対してフィールドコア６５を抜け止めしている。電磁コイル６４は、フィールドコア６５のハウジング内部側の端面に配置されている。
【００３７】
フィールドコア６５は、全体を一体に鍛造後、寸法精度を要する箇所に切削等の後加工を施すことによって形成されている。
【００３８】
フィールドコア６５のハウジング外部側の端面には、軸受ハウジングとして機能するプレス成形品７０が接合されている。プレス成形品７０は、転がり軸受８０の外輪８１に嵌合する嵌め合い面７１と、嵌め合い面７１に嵌合された外輪８１をハウジング外部側から軸方向に受ける肩部７２とが一体に形成された筒状になっている。嵌め合い面７１は、外輪８１の外径を肩部７２と反対側から軸方向に圧入可能な円筒面状になっている。肩部７２は、嵌め合い面７１よりも内径を小さくした段付き状になっている。
【００３９】
プレス成形品７０の全体は、プレス加工によって一体に形成されている。
【００４０】
外輪８１は、嵌め合い面７１に圧入されている。プレス成形品７０は、嵌め合い面７１に嵌合された外輪８１を肩部７２とフィールドコア６５のハウジング外部側の端面とで軸方向に挟むようにフィールドコア６５に溶接されている。すなわち、この回転伝達装置は、プレス成形品７０とフィールドコア６５とを接合している溶接部７３を備えている。その溶接部７３は、図１中に黒塗りで例示した。なお、図示例では、溶接部７３を確保するためにプレス成形品７０をフランジ付きの筒状にしている。
【００４１】
転がり軸受８０の内輪８２は、入力軸１の外周に嵌合され、入力軸１の軸肩部によって軸方向に受けられている。入力軸１は、プレス成形品７０、フィールドコア６５及び転がり軸受８０を介してハウジング３に支持されている。このため、入力軸１は、プレス成形品７０及びフィールドコア６５に対して自在に相対回転することが可能になっている。
【００４２】
なお、転がり軸受８０は、シール付軸受になっている。ハウジング３の他方の開口端部と入力軸１の外周との間では、フィールドコア６５と、抜止めリング８と、プレス成形品７０と、シール付の転がり軸受８０とによって密封機能が得られる。
【００４３】
この回転伝達装置は上述のようなものであり、電磁クラッチ６０の電磁コイル６４に対する通電の遮断状態で、二方向クラッチ１０のローラ１５は、外輪１１の円筒面１２および内輪１３のカム面１４に係合する状態にある（なお、図２は、この状態のときを示している。以下、適宜に図１、図２を参照のこと。）。このため、入力軸１が一方向に回転すると、その回転は内輪１３から対向一対のローラ１５の一方を介して外輪１１に伝達され、出力軸２が入力軸１と同方向に回転する。また、入力軸１が逆方向に回転すると、その回転は他方のローラ１５を介して出力軸２に伝達される。
【００４４】
また、二方向クラッチ１０の係合状態で、電磁クラッチ６０の電磁コイル６４に通電すると、アーマチュア６１に磁気吸引力が作用し、アーマチュア６１が軸方向に移動してロータ６２に吸着される。このとき、アーマチュア６１と制御保持器１７Ａが連結一体化されているため、その吸着に伴い、制御保持器１７Ａは、そのフランジ２０が回転保持器１７Ｂのフランジ２４に接近する方向へ相対移動する。この相対移動により、運動変換機構４０のボール４３が、カム溝部４１、４２の溝深さの最も深い位置に向けて転がり移動し、これに伴い、制御保持器１７Ａと回転保持器１７Ｂが、ポケット２９の周方向幅が小さくなる方向に相対回転する。この相対回転により、対向一対のローラ１５は、制御保持器１７Ａの柱部２１と回転保持器１７Ｂの柱部２５で押されて互いに接近する方向へ移動する。このため、ローラ１５は、円筒面１２およびカム面１４にくい込めない中立位置に変位し、その結果、二方向クラッチ１０は、係合解除された状態になる。二方向クラッチ１０の係合解除状態において、入力軸１に回転トルクを入力して、入力軸１を一方向に回転させると、ばねホルダ５０に形成されたストッパ片５１が制御保持器１７Ａの柱部２１と回転保持器１７Ｂの柱部２５の一方を押圧するため、入力軸１と共に制御保持器１７Ａおよび回転保持器１７Ｂが回転する。このとき、対向一対のローラ１５は中立位置に保持されているため、入力軸１の回転は外輪１１に伝達されず、入力軸１はフリー回転する。
【００４５】
ここで、制御保持器１７Ａと回転保持器１７Ｂがポケット２９の周方向幅を小さくなる方向に相対回転すると、制御保持器１７Ａの柱部２１と回転保持器１７Ｂの柱部２５がばねホルダ５０のストッパ片５１の外側縁に当接して相対回転量が規制される。このため、弾性部材１６は必要以上に収縮することはなくなり、伸長と収縮が繰り返し行われても疲労によって破損するようなことはない。
【００４６】
入力軸１のフリー回転状態において、電磁コイル６４に対する通電を解除すると、アーマチュア６１とロータ６２の吸着が解除され、アーマチュア６１が回転可能な状態となる。この吸着解除が生じると、弾性部材１６の押圧によって制御保持器１７Ａと回転保持器１７Ｂは、ポケット２９の周方向幅が大きくなる方向に相対回転し、対向一対のローラ１５のそれぞれが、円筒面１２およびカム面１４に係合する状態とされ、その対向一対のローラ１５の一方を介して入力軸１の回転が出力軸２に伝達される。ここで、入力軸１を停止して、入力軸１の回転方向を切換えると、他方のローラ１５を介して入力軸１の回転が出力軸２に伝達される。
【００４７】
このように、電磁コイル６４に対する通電の遮断により、制御保持器１７Ａと回転保持器１７Ｂがポケット２９の周方向幅が大きくなる方向に相対回転して、対向一対のローラ１５のそれぞれが円筒面１２およびカム面１４に直ちに噛み込むスタンバイ状態とされるため、回転方向ガタは小さく、内輪１３の回転を外輪１１に直ちに伝達することができる。
【００４８】
また、入力軸１から出力軸２への回転トルクの伝達は、カム面１４と同数のローラ１５を介して行われるため、入力軸１から出力軸２に大きな回転トルクを伝達することができる。
【００４９】
また、この回転伝達装置は、フィールドコア６５と別体のプレス成形品７０に転がり軸受８０の外輪８１を嵌合しているので、材料歩留りを向上させてコストダウンを図ることができ、また、プレス成形品７０に一体に形成された肩部７２とフィールドコア６５とで転がり軸受８０の外輪８１を軸方向に挟んでいるので、止め輪及び止め輪溝の加工を無くしてコストダウンを図ることができる。
【００５０】
第一実施形態では、プレス成形品７０をフィールドコア６５との溶接によって固定したが、プレス成形品とフィールドコアとの固定手段は、溶接に限られず、締結、接着等の他の接合手段を採用してもよい。その一例としての第二実施形態を図３に基づいて説明する。以下、第一実施形態との相違点を述べるに留める。
【００５１】
図示のように、第二実施形態に係る回転伝達装置は、プレス成形品７０’とフィールドコア６５’とを接合しているリベット９０を備えている。プレス成形品７０’は、フランジ部分に形成されたリベット穴部７４を有する。フィールドコア６５’は、リベット穴部７４に軸方向に連通する座ぐり穴部６６を有する。座ぐり穴部６６にリベット９０の頭部を収め、リベット穴部７４からハウジング外部に突き出たリベット９０の先端部分を加締めることにより、プレス成形品７０’とフィールドコア６５’とが接合されている。
【００５２】
今回開示された実施形態はすべての点で例示であって制限的なものではないと考えられるべきである。したがって、本発明の範囲は上記した説明ではなくて特許請求の範囲によって示され、特許請求の範囲と均等の意味および範囲内でのすべての変更が含まれることが意図される。
【符号の説明】
【００５３】
１  入力軸
２  出力軸
３  ハウジング
１０  二方向クラッチ
６０  電磁クラッチ
６４  電磁コイル
６５  フィールドコア
７０  プレス成形品
７１  嵌め合い面
７２  肩部
７３  溶接部
８０  転がり軸受
８１  外輪
９０  リベット
【図１】
2017048856.tif 000003
【図２】
2017048856.tif 000004
【図３】
2017048856.tif 000005
【図４】
2017048856.tif 000006